(57)【要約】      （修正有）【課題】動物、主に体毛を有する四足動物に直接、伸縮性のある布製テープを貼って固定し、コルセットの状態を作りだす事により、本来動物の持っている自然治癒力を引出す、動物用テーピング式コルセットを提供する。【解決手段】動物、主に体毛を有する四足動物に直接、伸縮性のある布製テープを貼って固定し、コルセットの状態を作りだす事により、本来動物の持っている自然治癒力を引出す、動物用テーピング式コルセット１０である。【選択図】図１
2014014348.tif 000002
【特許請求の範囲】
【請求項１】
四足動物の皮膚及び体毛に、伸縮性のある布製テープを密着させて行うテーピング方法を特徴とする、動物用テーピング式コルセット。
【請求項２】
四足動物における伸縮性のある布製テープを利用したテーピング方法で、適宜変化を付けるテーピング方法から、あらゆる治療方法が可能な動物用テーピング式コルセット。
【請求項３】
繰り返し同じ個所にテーピングを施す事により、コルセット効果も高める事が可能。四足動物に伸縮性ある布製テープを用いてのテーピング式コルセット。
【請求項４】
四足動物の皮膚及び体毛に伸縮性のある布製テープを密着させて行う為、重量も感じない、動物用テーピング式コルセット。
【請求項５】
テーピング後の衣服の着用も可能。衣服の着用もテーピング式コルセットを長持ちさせるのに有効なアイテムとして楽しむ事の出来る動物用テーピング式コルセット。
【請求項６】
伸縮性のある布製テープは、テープを四足動物の大きさによりサイズの幅、色も選ぶ事が可能な動物用テーピング式コルセット。［課題を解決する為の手段］  上記課題は四足動物の皮膚及び体毛に、伸縮性のある布製テープを密着させて行うテーピング方法を特徴とする、動物用テーピング式コルセットを利用した事によって解決される。
【発明の詳細な説明】
【技術分野】
【０００１】  この発明は、動物、主に体毛を有する四足動物に直接、伸縮性のある布製テープを貼って固定し、コルセットの状態を作りだす事により、本来動物の持っている自然治癒力を引出す、動物用テーピング式コルセットに関するものである。
【背景技術】
【０００２】  従来コルセットと言えば布などを利用して作られ、洋服のように身体に装着させるものである。今回の動物用テーピング式コルセットは、四足動物であれば、すぐにその場で対処でき、四足動物のサイズも気にすることなく、自由にテーピング式コルセットを作り出すことが可能。体毛を利用している為、動物に負担や違和感なく、回復への道筋をつけていくことが可能。伸縮性のある布製テープのテーピングによるコルセット方式の為、重ね張り、重複での貼り方も重要である、四足動物用テーピング式コルセットである。【特許文献１】特開２００９−１５９９１７号広報
【発明の開示】
【発明が解決しようとする課題】
【０００３】  本発明は、上記課題のものとは全く違う形での提案であり、これを動物に密着させることにより新しい可能性を作り出せることに成功した結果です。今までに利用されている、布製のコルセットとの大きな違いは、皮膚及び体毛に密着することです。伸縮性を持つ布製テープを利用したテーピング方法で、適宜変化を簡単に付けることにより一つのテーピング方法から、あらゆる治療方法が可能。繰り返し同じ個所にテーピングを施すことにより、コルセット効果も高めることが可能。特に動物では伸縮性ある布製テープを用いてのテーピングの為、重量も感じません。テーピング後の衣服の着用も今まで利用している服の着用も可能。衣服の着用もテーピング式コルセットを長持ちさせるのに有効です。【０００４】  動物の治療方法には、▲１▼投薬▲２▼手術▲３▼注射▲４▼リハビリ▲５▼補助装備具の５つの方法があり、今回第六番目の方法では、治療と共にコルセットの役割を持つ。動物に負担をかけない状態で治療後に連れて帰る事も可能。飼育者にとって治療後の様子を共に過ごす事の意義も大きい事も挙げられる。  この点に着目し伸縮性のある布製テープを利用し、早い時期における対処方法として、テーピング式コルセットを活用。治療方法の簡素化を目的に考案した、テーピング式コルセットである。【０００５】  四足動物に関わる伸縮性のある布製テーピング素材を利用した、固定テーピングのコルセット型です。今までのコルセットは布などを使い、動物の体毛に付着していません。今回は動物の自然治癒力を利用したもので、新しいコルセット型テーピングスタイルの治療法です。動物の体毛を利用して、身体中を流れるリンパ液、血液の流れの改善による早い回復力を付けていきます。伸縮性のある布製テープを使用したテーピングの為、動物の身体に合ったサイズが可能。このテープと、鋏があれば、どのような状況においても、すぐに対処出来ることも大きな特徴です。動物用テーピング式コルセットです。【０００６】  キャバリア、ダックスフント、コーギー、ゴールデンレトリバーなどの胴の長い犬種、体重の重い犬種等に対応する。本発明は、四足歩行を行う体毛を有する動物に適応可能。例として犬の場合、早い段階でのテーピング式コルセットを利用した場合に、椎間板ヘルニア、腹水の溜まる病気など、早い回復が見込まれます。体毛を利用した貼り方なので、脱臼などにも効果が現れ、心臓に疾患のある動物にも治療の副産物として、運動も元気に行うことが出来るようになる。
【症例１】
犬  キャバリア  メス  １０歳  体重８ｋｇ    ヘルニア  手術、注射を勧められる。心臓疾患あり。    動物用テーピング式コルセットにより、完治。
【症例２】
犬  ダックスフント  オス  ８歳  体重  ８ｋｇ    ヘルニア  手術を勧められる。    動物用テーピング式コルセットにより、完治。
【症例３】
犬  キャバリア  オス  ６歳  体重７ｋｇ    腹水  腹水を抜いた治療。１か月間２回の腹水を抜く治療。    下痢症状も直ぐに回復。    動物用テーピング式コルセットにより、完治。
【発明を解決する為の形態】
【０００７】アニマルテーピング  １  動物の脊椎に基本テープを装着する。伸縮性のある布製テープを使用する。脊椎の保護と動きを滑らかに動かす為のテーピング。自立神経などにも効果が認められる。頭頂・後頭・クレスト・肩・首・キ甲・背・腰・尻の固定テーピング。  頭の筋膜・広頸筋・棘横突筋膜・胸腰筋膜・殿筋膜等のスムーズな動きが可能。  伸縮性のある布製テープを用いて、頭頂から尾根にテープを貼る。動物のサイズに合わせるので、本数は適宜。
【０００８】アニマルテーピング  ２  ヘルニア、腹水の治療に欠かせないテーピング。脊椎の動きを助ける保護用テープとリンパ液、血液循環を良くする、重要なテーピング。  胸郭・腹・背を保護する事によりこの部分の筋肉を援助し、働きを強める効果がある。体幹皮筋・腹の筋膜・胸腰筋膜の保護、動きを良くする事が可能。  伸縮性のある布製テープを用いて、胴体部分にテープを貼る。動物のサイズに合わせるので、本数は適宜。胴体部分に貼る。テープは必ずテーピング１の上にテープを重ねる。
【０００９】アニマルテーピング  ３  喉、胸部、僧帽筋に至るまでの筋肉をカバーすることにより、体幹の弱くなった部分を刺激する事により回復力を助ける役割を持つ。  伸縮性のある布製テープを用いて、肩から胸部分の間にテープを貼る。動物のサイズに合わせるので、本数は適宜。喉の部分から胸、前足の間に貼る。テープは必ずテーピング１の上にテープを重ねる。
【００１０】アニマルテーピング  ４  前足から肩にかけてのテーピングの作用は、テーピング２．３の補助的な役割として重要。後足は胴体や弱っている腹部の補強を目的としている為、四足動物には必要なポジションである。バランスの確保にも繋がる。  伸縮性のある布製テープを用いて、前足、後足にテープを貼る。テープは必ずテーピング１の上にテープを重ねる。
【００１１】アニマルテーピング  ５  臀部と大腿部の筋力の補助的効果が挙げられる。筋肉は中臀筋、縫工筋、大腿筋膜張筋、大腿二頭筋等の筋肉に効果がある。  伸縮性のある布製テープを用いて、大腿部から臀部に貼る。動物のサイズに合わせるので、本数は適宜。テープは必ずテーピング１の上にテープを重ねる。
【００１２】アニマルテーピング  ６  四足動物の頭部分と腰椎の連携を結ぶ機能を目的とし、テープの維持と身体に貼ったテープの作用が体毛の動きを活発に連動する役目を持ち、テープの働きの機能と相乗効果を狙っているテープ。  伸縮性のある布製テープを用いて、上部右前肩から上部左側大腿部。上部左前肩から上部右側大腿部。Ｘ字になるようにテーピングする。動物のサイズに合わせるので本数は適宜。テープは必ずテーピング１の上に重ねる。
【００１４】アニマルテーピング  ７  四足動物の胴体部分の保持に必要なテーピング。特に１本のテープから２本に変化してＹ字の形のテーピングによる作用は、体幹を維持するための重要な役割を果たしている。  伸縮性のある布製テープを用いて、前胸部（Ｉ字）から身体の中心部分。前胸部から右腹部部分の中心部部分にＩ字からＹ字になるようにテーピングする。この時２本のテープは身体を巻くようにテーピングする。動物のサイズに合わせるので、本数は適宜。テープは必ずテーピング１の上に重ねる。
【発明の効果】
【００１５】  動物用テーピング式コルセットの特徴は、四足動物の治療法で、伸縮性のある布製テープを利用。動物の体幹に一周して巻くことが出来る。この貼り方は、体毛を持つ四足動物には効果的な方法として大変重要なポイント。伸縮性のあるテープの良さは身体に合わせた治療が出来る事。幅も長さも形も全て変化を持たせることも出来、動物治療における安全性も挙げられる。舐めても噛んでも、食べても安全な伸縮性を持つ布製テープを選ぶことにより、安心して副作用のない治療法が可能。特徴として、伸縮性のある布製テープには多くのテープ色、テープ幅を備えている為、色による治療、見た目の可愛さ、力強さ等の変化を楽しむことも可能。今までの布などによるコルセット等にはなかった、治療と共に味わえる楽しさも兼ね備えられる。体毛から表皮、真皮、そして皮下組織との間に生まれるリンパ液等の動きを、体毛に直接テーピングを施すことにより動物の動きが自然な形で引き出されるので、効果的な動きを得られる。筋肉に与える影響も大きい為自然な動きで活発に働きだす。治癒の時間的なものも大幅に改善されていくことが可能。副作用もなく、プラスの影響として、いびきの軽減、呼吸が楽になるので眠りが深くなる。リンパ液の循環作用に効果がある為、肥満などへの対策も出来、早期の回復が可能。
【図面の簡単な説明】
【００１４】  本発明の解りやすいテーピングの順序を示します。【図１】本発明の動物用テーピング式コルセットのテープを外した状態を示した平面図である。
【図２】本発明の動物用テーピング式コルセットのテーピングを行った犬（四足動物）を上方から示した図である。
【図３】本発明の動物用テーピング式コルセットのテーピングを行った犬（四足動物）を真横から示した図である。
【図４】本発明の（動物用テーピング式コルセットのテーピングを行った犬（四足動物）を右後方から示した図である。
【図５】本発明の動物用テーピング式コルセットのテーピングを行った犬（四足動物）を下方から示した図である。
【符号の説明】
【００１５】１０    動物用テーピング式コルセット  １    アニマルテーピング  １  ［０００７参照］          頭頂から尾根テープ  ２    アニマルテーピング  ２  ［０００８参照］          胴体テープ      （２ａ・２ｂ・２ｃ・２ｄは腹水用）  ３    アニマルテーピング  ３  ［０００９参照］          胸部テープ      （３・３ａ）  ４    アニマルテーピング  ４  ［００１０参照］          前・後足テープ  （前足４・４ａ・後足４ｂ・４ｃ）  ５    アニマルテーピング  ５  ［００１１参照］          腰部テープ      （５・５ａ）  ６    アニマルテーピング  ６  ［００１２参照］          背部位テープ    （６・６ａ）    Ｘ字型  ７    アニマルテーピング  ７  ［００１３参照］          胸部＆腹部テープ（７・７ａ）    Ｙ字型
【図１】
2014014348.tif 000003
【図２】
2014014348.tif 000004
【図３】
2014014348.tif 000005
【図４】
2014014348.tif 000006
【図５】
2014014348.tif 000007